【手続補正書】
【提出日】平成16年11月18日(2004.11.18)
【手続補正１】
【補正対象書類名】明細書
【補正対象項目名】特許請求の範囲
【補正方法】変更
【補正の内容】
【特許請求の範囲】
【請求項１】多色自動レジストレーションシステムにおけるレジスタマーククラスタにおける各レジスタマークを同定する装置であり、複数のレジスタマークを含み、そのレジスタマークの各一つが複数の印刷シリンダの対応する一つにより面に印刷される装置であって、
前記レジスタマークの各々が幾何学的に特有の形状を有し、この形状は、各々が特有の異なった視覚的に明白な周囲プロファイルを有する前記レジスタマークの残りの各一つずつとは異なっており、前記レジスタマークの各々は所定の登録が達成されたときに前記面上の個別の個々の位置に印刷され、その位置は他の前記レジスタマークの任意の１つの個々の位置とは同一の広がりを持たず重畳もせず、
前記装置は、
可能なレジスタマークの各々を探索し、且つ可能なレジスタマークの各々についての位置と大きさとの情報を決定する手段と、
各レジスタマークの幾何学的に特有の形状を同定する手段と、
前記面上の対象の領域を同定する手段と、
前記面上に印刷する別個の印刷シリンダヘ割り当てられた予め規定された形状を有する各レジスタマークの前記幾何学的に特有の形状を相互に関連させることにより、前記複数の印刷シリンダにより前記面に印刷された色の間の密なレジストレーションを維持する手段とを備える装置。
【請求項２】請求項１記載の装置において、レジスタマーククラスタが、各マークが幾何学的に特有であり、且つ別個の印刷シリンダに関連しているパターンを含む装置。
【請求項３】請求項１記載の装置において、前記可能なレジスタマークを探索する手段が、位置座標を決定する手段と、可能なレジスタマークの各々を選定する手段とを含む装置。
【請求項４】請求項３記載の装置において、前記可能なレジスタマークの各々を選定する手段が、各レジスタマークの高さと幅とを判別して、これを高さと幅との各々の許容範囲と比較する手段を含む装置。
【請求項５】請求項１記載の装置において、前記レジスタマークの各々が少なくとも一つの突出部を含み、前記各レジスタマークの形状を同定する手段が前記レジスタマークの各々に存在する突出部の数と位置とを同定する手段を含む装置。
【請求項６】前記対象の領域を同定する手段が、前記面上の予め規定された形状を有する主レジスタマークを同定して、前記主レジスタマークの座標に基づいて対象の領域を規定する手段と、レジスタマークをフィルタリングする手段とを含む装置。
【請求項７】請求項６記載の装置において、各レジスタマークの位置座標を前記対象の領域の座標と比較して、前記対象の領域の外側のマークを可能なレジスタマークとして除外する手段を含むレジスタマークをフィルタリングする手段を更に備える装置。
【請求項８】請求項１記載の装置において、前記各レジスタマークの形状を予め規定された形状と相互に関連させる手段が、各レジスタマークの突出部パターンを各印刷シリンダヘ割り当てられた予め規定された突出部パターンと比較して、前記レジスタマークの各々に対して各印刷シリンダ突出部パターン同定を標識付ける装置。
【請求項９】多色自動レジストレーションシステムにおける幾何学的に特有の複数のレジスタマーク備え、移動するウェブ上に印刷された色対色レジスタマークを同定する方法であって、
前記レジスタマークの各々に幾何学的に特有の形状を与える段階であり、その形状は、各々が特有の異なった視覚的に明白な周囲プロファイルを有する前記レジスタマークの残りの各一つずつとは異なっている段階と、
前記レジスタマークの各々を所定の登録が達成されたときに前記面上の個別の個々の位置に印刷させる段階であり、その位置は他の前記レジスタマークの任意の１つの個々の位置とは同一の広がりを持たず重畳もしないようにする段階と、
移動ウェブの画像を収集する段階と、
収集された画像における全ての小塊を探索する段階であり、その小塊の各々が幅と高さとを有する段階と、
各小塊の幅が許容幅範囲内にあり、且つ各小塊の高さが許容高さ範囲内にあることを確実にすることにより、前記小塊の各々を選定する段階と、
可能なレジスタマークの各々の幾何学的に特有の形状を同定することにより可能なレジスタマークを同定する段階と、
主レジスタマークを同定して、この主レジスタマークの座標に基づいて対象の領域を規定する段階と、
前記対象の領域外側の可能なレジスタマークを除外する段階とを含む方法。
【請求項１０】請求項９記載の方法において、許容可能なレジスタマークが少なくとも一つの突出部を含み、各レジスタマークの幾何学的に特有の形状を同定する段階が、各レジスタマークに存在する突出部の数と位置とを同定することを含む方法。
【請求項１１】請求項９記載の方法において、主レジスタマークを同定する段階において、許容可能な主レジスタマークが少なくとも一つの突出部を含み、この主レジスタマークを同定する段階が、レジスタマークの突出部の数と位置とを主レジスタマークについての予め規定された突出部パターンと比較することを含む方法。
【請求項１２】移動する印刷ウェブを特定の位置において照明する短時間のトリガ信号を与えると共に、その照明された印刷ウェブの画像を収集する装置であって、
エンコーダを含み、前記移動する印刷ウェブの位置を同定する手段であり、前記エンコーダは印刷シリンダと同期して駆動され、前記エンコーダはエンコーダ制御ボードを含み、このボードは複数のカウンタを含み、そのカウンタはエンコーダからのパルスをカウントして、カウンタ内に蓄積されたカウント値を移動プリントウェブ上の所定の位置について予め設定された位置カウントと比較する手段と、
前記移動する印刷ウェブの前記位置を前記印刷ウェブ上の予め定められた位置と比較する手段と、
前記予め定められた位置におけるトリガ信号を与える手段とを備え、前記トリガ信号を与える前記手段は、前記エンコーダ制御ボードによる前記蓄積されたカウント値が前記予め設定された位置カウントに等しいときに、予め定められた短時間のトリガ信号を与える出力回路を含むことにより、前記移動する印刷ウェブが前記トリガ信号の開始において照明されて、且つ前記トリガ信号の終了において画像が獲得される装置。
【請求項１３】複数の印刷シリンダを採用する印刷プレスのための自動色対色レジスタシステムの印刷されたウェブの横断方向に沿う視野における複数のレジスタマークを含むレジスタマーククラスタを維持する装置であって、
前記レジスタマークの各々が幾何学的に特有の形状を有し、この形状は、各々が特有の異なった視覚的に明白な周囲プロファイルを有する前記レジスタマークの残りの各一つずつとは異なっており、前記レジスタマークの各々は所定の登録が達成されたときに前記面上の個別の個々の位置に印刷され、その位置は他の前記レジスタマークの任意の１つの個々の位置とは同一の広がりを持たず重畳もせず、前記レジスタマークの各々は前記印刷シリンダの別個の一つに関連しており、
前記装置は、
各々の可能なレジスタマークを探索すると共に、各々の可能なレジスタマーク
についての位置および大きさ情報を判別する手段と、
各々の可能なレジスタマークのそれぞれの形状を同定する手段と、
主レジスタマークを同定する手段と、
前記主レジスタマークを前記視野内の特定の領域を横断する側方向に保持する手段と、
前記主レジスタマークを前記視野内の特定の領域に沿う周方向に保持する手段とを備える装置。
【請求項１４】請求項１３記載の装置において、可能なレジスタマークの各々を探索する前記手段が、位置座標を決定する手段と、可能なレジスタマークの各々を選定する手段とを含む装置。
【請求項１５】請求項１４記載の装置において、可能なレジスタマークの各々を選定する前記手段が、可能なレジスタマークの各々の高さおよび幅を決定して、これを高さと幅との各々の許容範囲と比較する手段を含む装置。
【請求項１６】請求項１３記載の装置において、同定されたレジスタマークが少なくとも一つの突出部を必ず含み、可能なレジスタマークの各々のそれぞれの形状を同定する前記手段が、レジスタマークに表れる突出部の数と位置とを同定する手段を含む装置。
【請求項１７】請求項１３記載の装置において、同定されたレジスタマークが少なくとも一つの突出部を必ず含み、主レジスタマークを同定する前記手段が、可能なレジスタマークの突出部の数と位置とを主レジスタマークについての数と位置として予め規定された突出部パターンと比較する手段を含む装置。
【請求項１８】請求項１３記載の装置において、前記主レジスタマークを前記特定の領域内に保持する前記手段が、側方向における前記主レジスタマーク位置に基づいて前記ウェブを横断して画像形成アセンブリを移動させる手段を含む装置。
【請求項１９】請求項１３記載の装置において、前記主レジスタマークを前記特定の領域内に保持する前記手段が、周方向における前記主レジスタマーク位置に基づいてエンコーダ制御ボードにおける予め設定されたカウントを調整する手段を含む装置。